(57)【特許請求の範囲】
【請求項１】
先端部に形成した注出口から内容物を取り出して対象部分に塗布可能な塗布ノズルを備えるチューブ容器であって、
前記塗布ノズルの先端部は、前記注出口を形成する注出口領域と、この注出口領域をその全周に亘って又はその周方向に断続的に取り囲む曲面で構成された突出領域を有し、当該突出領域の相互間に、前記注出口からの内容物で満たされる充填領域が形成されると共に、当該突出領域の注出口側を、当該突出領域の外縁側よりも曲率半径の大きな曲面で突出させたものであることを特徴とする塗布ノズルを備えるチューブ容器。
【請求項２】
請求項１において、前記突出領域は、前記注出口をその全周に亘って取り囲むものであることを特徴とする、塗布ノズルを備えるチューブ容器。
【請求項３】
請求項１において、前記突出領域は、前記注出口をその周方向に断続的に取り囲むものであることを特徴とする、塗布ノズルを備えるチューブ容器。
【請求項４】
請求項１乃至３のいずれか一項において、前記先端部は、ノズル軸線に対して直交することを特徴とする、塗布ノズルを備えるチューブ容器。
【請求項５】
請求項１乃至３のいずれか一項において、前記先端部は、ノズル軸線に対して傾斜することを特徴とする、塗布ノズルを備えるチューブ容器。
【請求項６】
請求項１乃至５のいずれか一項において、前記塗布ノズルは、円筒形であることを特徴とする、塗布ノズルを備えるチューブ容器。
【発明の詳細な説明】
【技術分野】
【０００１】
本発明は、先端部に形成した注出口から内容物を取り出して対象部分に塗布可能な塗布ノズルを備えるチューブ容器に関するものである。
【背景技術】
【０００２】
先端部に注出口を形成し、この注出口から取り出した内容物を対象部分に塗布することができる塗布ノズルとしては、その先端部をノズル軸線に対して傾斜させた平坦な面で構成し、かかる先端部をヘラの様に用いて塗布するものがある（例えば、特許文献1参照）。
【特許文献１】特開昭６３−４６１７５号公報
【発明の開示】
【発明が解決しようとする課題】
【０００３】
しかしながら、従来の塗布ノズルは、その先端部を平坦な面としただけであるために、対象部分との接触面積が大きい。このため、内容物を肌や唇に塗布するとき、使用者によっては、塗布時の感触に違和感を覚えることも考えられる。
【０００４】
ところが、従来の塗布ノズルにあっては、使用者の嗜好を考慮した使用感に着目したものは未だ存在しないことが実情であった。
【０００５】
本発明は、こうした事実に着目してなされたものであり、
本発明の目的とするところは、嗜好性を考慮した新規な塗布ノズルを備えるチューブ容器を提供すると共に、塗布時における使用感の向上にある。
【課題を解決するための手段】
【０００６】
本発明である、先端部に形成した注出口から内容物を取り出して対象部分に塗布可能な塗布ノズルを備えるチューブ容器であって、前記塗布ノズルの先端部は、前記注出口を形成する注出口領域と、この注出口領域をその全周に亘って又はその周方向に断続的に取り囲む曲面で構成された突出領域を有し、当該突出領域の相互間に、前記注出口からの内容物で満たされる充填領域が形成されると共に、当該突出領域の注出口側を、当該突出領域の外縁側よりも曲率半径の大きな曲面で突出させたものであることを特徴とするものである。
【０００７】
本発明によれば、前記突出領域を、前記注出口をその全周に亘って取り囲むものとすることができる。また、本発明によれば、前記突出領域を、前記注出口をその周方向に断続的に取り囲むものとすることもできる。
【０００８】
本発明によれば、前記注出口領域を、ノズル軸線に対して直交させることができる。また、本発明によれば、前記注出口領域を、ノズル軸線に対して傾斜させることもできる。
【０００９】
更に、本発明に係る塗布ノズルの形状は、角柱形等の様々なものを挙げられるが、本発明に従えば、円筒形であることが好ましい。また、本発明に係る塗布ノズルは、様々な容器に適用させることができる。
【発明の効果】
【００１０】
本発明に係る塗布ノズルによれば、注出口を形成する注出口領域を、その全周に亘って又はその周方向に断続的に、曲面で構成された突出領域で取り囲むことで、当該突出領域の相互間に、前記注出口からの内容物で満たされる充填領域を形成できる。
【００１１】
これにより、対象部分に内容物を塗布しようとすれば、注出口を経て充填領域に充填された内容物が直接対称部分に接触することになる。このため、本発明である塗布ノズルを用いて内容物を塗布すれば、従来のように内容物を平坦な面に載せて塗布する場合に比べて対象部分との接触面積が減少する。即ち、本発明によれば、塗布ノズルの先端部を用いて内容物を塗布するときに、当該先端部が対象部分に直接触れることで感じる違和感を抑えることができる。
【００１２】
また、本発明に係る突出領域は、その注出口側が、その外縁側よりも曲率半径の大きな曲面となるように構成されているため、注出口を取り囲む突出領域の内側は緩やかな傾斜面となる。かかる構成によれば、肌や唇等の柔らかな部分に内容物を塗布する場合であっても、比較的滑らかな塗布動作を実現することができる。加えて、同構成によれば、突出領域の外縁側がその注出口側に比べて大きく湾曲することになるので、塗布時における外縁側での内容物の液切れも良好なものとなる。
【００１３】
更に、本発明に係る塗布ノズルによれば、突出領域を曲面で構成したことから、肌や唇に内容物を塗布すると同時に、マッサージの効果も与えることができる。
【００１４】
従って、本発明によれば、嗜好性を考慮した新規な塗布ノズルを備えるチューブ容器を提供することができることに加え、塗布時における使用感も向上させることができる。
【００１５】
ところで、本発明において、先端部の注出口領域を、その全周に亘って又はその周方向に断続的に突出領域で取り囲むことができるが、例えば、突出領域を環状に構成し、先端部の注出口領域を、その全周に亘って取り囲むものとすれば、突出領域で取り囲まれた充填領域を中心にした重点的な塗布を実現することができる。これに対し、突出領域を断続的に構成すれば、内容物の充填領域は、注出口から放射状に広がったものとなるため、マッサージ効果の向上と共に、一回の塗布動作で広範囲に亘る塗布を実現することができる。
【００１６】
また、本発明に係る先端部を、ノズル軸線に対して直交するものとすれば、ノズル軸線に対して傾斜するものと比べ、充填領域の容積を小さく確保できるため、防腐性や抗菌性に優れる。これに対し、本発明に係る先端部を、ノズル軸線に対して傾斜するものとすれば、塗布時に手を上まで上げる必要がなく、使用感に優れる。
【００１７】
また、本発明において、前記塗布ノズルを、円筒形とすれば、塗布時の感触も良好であり、また成形性も良好である。
【００１８】
また、本発明に係る塗布ノズルを適用する容器をチューブ容器では、内容物を塗布ノズルにて塗布したり、その際に内容物を伸ばす動作が容易なため、塗布ノズルとしての効果をより顕著に発揮させることができる。
【発明を実施するための最良の形態】
【００１９】
以下、図面を参照して、本発明である塗布ノズルを備えるチューブ容器を詳細に説明する。
【００２０】
図１(a),(b)はそれぞれ、本発明の第一の形態である塗布ノズル１を備えるチューブ容器Ｃを一部断面で示す側面図及び、当該容器Ｃを上方から示す平面図である。また図２は、同形態に係る塗布ノズル１を示す図１(a)の要部拡大図である。
【００２１】
符号１は、本発明に従う塗布ノズルである。塗布ノズル１は、図示せぬキャップを螺着させるためのおねじ部Ｓが形成された基部１ａと、この基部１ａから絞り部１ｂを介して一体に繋がる先端部１ｃとを一体に形成したものである。
【００２２】
先端部１ｃは、チューブ容器Ｃからの内容物を取り出す注出口Ａを形成する平坦な注出口領域２と、この注出口領域２をその全周に亘って取り囲む曲面で構成された環状の突出領域３とを有し、当該突出領域３の相互間に、注出口Ａからの内容物で満たされる充填領域Ｆが形成される。
【００２３】
突出領域３は、図２に示すように、その注出口側領域３ａが、その外縁領域側３ｂよりも曲率半径（Ｒ3＞Ｒ4）の大きな曲面で構成されている。
【００２４】
更に詳細には、注出口側領域３ａは、注出口領域２の外縁と繋がる曲率半径Ｒ1で構成された第一湾曲領域３１と、この第一湾曲領域３１の外縁と繋がる曲率半径Ｒ2で構成された第二湾曲領域３２と、この第二湾曲領域３２の外縁と繋がる曲率半径Ｒ3で構成された第三の湾曲領域３３とで形作られている。
【００２５】
また、外縁側領域３ｂは、第三の湾曲領域３３の外縁と繋がる、曲率半径Ｒ3よりも小さな曲率半径Ｒ4（＜Ｒ3）で構成された第一の外縁側領域３４と、この第一の外縁側領域３４の外縁と段部３５を介して繋がる曲率半径Ｒ5で構成された第二の外縁側領域３６とで形作られている。
【００２６】
なお、曲率半径Ｒ1、Ｒ2及びＲ3の関係については、適宜、変更可能であるが、本形態では、例えば、Ｒ1＝０．３mm、Ｒ2＝Ｒ3＝２mmとする。また、曲率半径Ｒ4及びＲ5の寸法についても、上述の関係を満たすものであれば適宜、変更可能であるが、本形態では、例えば、Ｒ4＝Ｒ5＝０．５mmとする。
【００２７】
また、本形態として例示した注出口Ａの内径寸法φaや注出口領域２の外縁を形成する径寸法φ2についても、適宜、変更可能であるが、本形態では、例えば、φa＝１mm、φ2＝１．６mmとする。本形態として例示した上記寸法によれば、注出口領域２から第二湾曲領域３２までの寸法Ｄ1と、第二湾曲領域３２から突出領域３に形成される環状頂部Ｐまでの寸法Ｄ2とはそれぞれ、Ｄ1＝０．３mm及びＤ2＝０．５mmである。
【００２８】
また、突出領域３の外径寸法φoについても、適宜、変更可能であるが、本形態では、例えば、φo＝７mmとすれば、本形態に形成される環状頂部Ｐの径寸法φ1は、φ1＝６mmとなる。
【００２９】
本形態によれば、注出口Ａを形成する注出口領域２を、その全周に亘って、曲面で構成された環状の突出領域３で取り囲むことで、当該突出領域３の相互間（内側）に、注出口Ａからの内容物で満たされる充填領域（図１(b)の二点鎖線で囲まれた内側領域）Ｆを形成できる。
【００３０】
これにより、肌に内容物を塗布しようとすれば、注出口Ａを経て充填領域Ｆに充填された内容物が直接肌に接触することになる。このため、本形態の塗布ノズル１を用いて内容物を塗布すれば、従来のように内容物を平坦な面に載せて塗布する場合に比べて肌との接触面積が減少する。即ち、本形態によれば、塗布ノズル１の先端部１ｃを用いて内容物を塗布するときに、当該先端部１ｃが肌に直接触れることで感じる違和感を抑えることができる。
【００３１】
また、本形態に係る突出領域３は、その注出口側領域３ａが、その外縁側領域３ｂよりも曲率半径の大きな曲面（Ｒ3＞Ｒ4）となるように構成されているため、注出口Ａを取り囲む環状の突出領域３の内側は緩やかな傾斜面となる。かかる構成によれば、肌に内容物を塗布するときに、比較的滑らかな塗布動作を実現することができる。加えて、同構成によれば、外縁側領域３ｂがその注出口側領域３ａに比べて大きく湾曲することになるので、塗布時における外縁側領域３ｂでの内容物の液切れも良好なものとなる。
【００３２】
更に、本形態によれば、突出領域３を曲面で構成したことから、肌に内容物を塗布すると同時に、マッサージの効果も与えることができる。
【００３３】
従って、本形態によれば、嗜好性を考慮した新規な塗布ノズル及びそれを備えるチューブ容器を提供することができることに加え、塗布時における使用感も向上させることができる。
【００３４】
特に、本形態のように、突出領域３を環状に構成し、先端部１ｃの注出口領域３ａを、その全周に亘って取り囲むものとすれば、突出領域３で取り囲まれた充填領域Ｆを中心にした重点的な塗布を実現することができる。
【００３５】
図３(a),(b)はそれぞれ、本発明に従う塗布ノズルの第二の形態を、その上方から示す平面図及び、同形態の一部を同図(a)のＯ−Ｙ断面で示す側面図である。また図４(a)〜(c)はそれぞれ、同形態を図３(a)のＯ−Ｘ断面、Ｏ−Ｙ断面及びＯ−Ｚ断面で示す要部断面図である。なお、本形態において、他の形態と同一部分は、同一符号をもってその説明を省略する。
【００３６】
本形態の塗布ノズル１１は、注出口領域２と、この注出口領域２をその周方向に断続的に取り囲む、曲面で構成された３つの突出領域４を有し、当該突出領域４の相互間に、注出口Ａからの内容物で満たされる充填領域Ｆが形成される。
【００３７】
即ち、本形態の充填領域Ｆは、３つの突出領域４で取り囲まれた領域と、この領域からノズル軸線Ｏの周りで隣り合う２つの突出領域４の相互間を通って延在する３つの放射状領域とからなる。
【００３８】
本形態において、３つの突出領域４は、それぞれ、図４(a)に示すＯ−Ｘ断面を頂部Ｐとし、図４(c)に示すＯ−Ｚ断面を底部とする。即ち、３つの突出領域４は、図３(b)に示すように、軸線Ｏの周りで隣り合う２つの突出領域４の相互間がノズル軸線Ｏの周りに滑らかな湾曲面を形成するように構成されている。
【００３９】
更に詳細には、注出口側領域４ａと外縁側領域４ｂとの連結部としての突出領域４の頂部Ｐを通るＯ−Ｘ断面にあっては、図４(a)に示すように、注出口領域２の外縁と繋がる曲率半径Ｒ1で構成された第一湾曲領域４１と、この第一湾曲領域４１の外縁と繋がる曲率半径Ｒ2で構成された第二湾曲領域４２と、この第二湾曲領域４２の外縁と繋がる曲率半径Ｒ3で構成された第三の湾曲領域４３とで形作られている。なお、曲率半径Ｒ1、Ｒ2及びＲ3の関係については、適宜、変更可能であるが、本形態では、例えば、Ｒ1＝０．３mm、Ｒ2＝１mm、Ｒ3＝１．２mmとする。
【００４０】
また、外縁側領域４ｂは、第三の湾曲領域４３の外縁と繋がる曲率半径Ｒ3よりも小さな曲率半径Ｒ4（＜Ｒ3）で構成された第一の外縁側領域４４と、この第一の外縁側領域４４の外縁と段部４５を介して繋がる曲率半径Ｒ5で構成された第二の外縁側領域４６とで形作られている。
【００４１】
なお、曲率半径Ｒ4及びＲ5の寸法については、上述の関係を満たすものであれば適宜、変更可能であるが、本形態では、例えば、Ｒ4＝１mm、Ｒ5＝０．５mmとする。
【００４２】
突出領域４の中腹を通るＯ−Ｙ断面にあっては、図４(b)に示すように、注出口領域２の外縁と繋がる曲率半径Ｒ1で構成された第一湾曲領域４１と、この第一湾曲領域４１の外縁と繋がる曲率半径Ｒ6で構成された第四湾曲領域４７と、この第四湾曲領域４７の外縁と繋がる曲率半径Ｒ7で構成された第五の湾曲領域４８とで形作られている。
【００４３】
また、外縁側領域４ｂは、第五の湾曲領域４８の一部と、この第五の湾曲領域４８の外縁と繋がる曲率半径Ｒ7よりも小さな曲率半径Ｒ8（＜Ｒ7）で構成された第三の外縁側領域４９と、この第一の外縁側領域４９の外縁と段部４５を介して繋がる曲率半径Ｒ5で構成された第二の外縁側領域４６とで形作られている。
【００４４】
なお、曲率半径Ｒ6については適宜、変更することができ、また、曲率半径Ｒ7及びＲ8の寸法については、上述の関係を満たすものであれば適宜、変更可能であるが、本形態では、例えば、Ｒ6＝３．１５mm、Ｒ7＝１．８mm、Ｒ8＝０．６４mm及びＲ5＝０．５mmとする。
【００４５】
突出領域４の底部を通るＯ−Ｚ断面にあっては、図４(c)に示すように、注出口領域２の外縁と繋がる曲率半径Ｒ1で構成された第一湾曲領域４１と、この第一湾曲領域４１の外縁と繋がる平坦領域５０と、この平坦領域５０の外縁と繋がる曲率半径Ｒ9で構成された第六の湾曲領域５１と、この第六の湾曲領域５１の外縁と段部４５を介して繋がる曲率半径Ｒ5で構成された第二の外縁側領域４６とで形作られている。
【００４６】
なお、曲率半径Ｒ9については適宜、変更することができるが、本形態では、例えば、Ｒ9＝０．５mmとする。
【００４７】
また、本形態として例示した注出口Ａの内径寸法φaや注出口領域２の外縁を形成する径寸法φ2についても、適宜、変更可能であるが、本形態では、例えば、φa＝１mm、φ2＝１．６mmとする。本形態として例示した上記寸法によれば、注出口領域２から第二湾曲領域４２までの寸法Ｄ1と、第二湾曲領域４２から突出領域４に形成される環状頂部Ｐまでの寸法Ｄ2とはそれぞれ、Ｄ1＝０．３mm及びＤ2＝０．５mmである。
【００４８】
また、突出領域４の外径寸法φoについても、適宜、変更可能であるが、本形態では、例えば、φo＝７mmとすれば、本形態に形成される環状頂部Ｐの径寸法φ2は、φ2＝５mmとなる。
【００４９】
本形態によれば、注出口Ａを形成する注出口領域２を、その周方向に断続的に、曲面で構成された３つの突出領域４で取り囲むことで、当該突出領域４の相互間に、注出口Ａからの内容物で満たされる充填領域（図３(a)の破線で囲まれた３つの内側領域を除く、注出口側領域２を含め、当該注出口側領域２から放射状に伸びる領域）Ｆを形成できる。
【００５０】
本形態も、肌に内容物を塗布しようとすれば、注出口Ａを経て充填領域Ｆに充填された内容物が直接肌に接触することになる。このため、本形態の塗布ノズル１１を用いて内容物を塗布すれば、第一の形態と同様、従来のように内容物を平坦な面に載せて塗布する場合に比べて肌との接触面積が減少する。即ち、本形態によっても、塗布ノズルの先端部１ｃを用いて内容物を塗布するときに、当該先端部１ｃが肌に直接触れることで感じる違和感を抑えることができる。
【００５１】
また、本形態に係る突出領域４も、その注出口側領域４ａが、その外縁側領域４ｂよりも曲率半径の大きな曲面（Ｒ3＞Ｒ4）となるように構成されているため、注出口Ａを取り囲む突出領域４の内側は緩やかな傾斜面となる。かかる構成によっても、肌に内容物を塗布するとき、比較的滑らかな塗布動作を実現することができる。加えて、同構成によっても、突出領域４の外縁側領域４ｂがその注出口側領域４ａに比べて大きく湾曲することになるので、塗布時における外縁側領域４ｂでの内容物の液切れも良好なものとなる。
【００５２】
更に、本形態によっても、３つの突出領域４を曲面で構成したことから、肌や唇に内容物を塗布すると同時に、マッサージの効果も与えることができる。
【００５３】
従って、本形態によっても、嗜好性を考慮した新規な塗布ノズル及びそれを備えるチューブ容器を提供することができることに加え、塗布時における使用感も向上させることができる。
【００５４】
特に、本形態のように、突出領域５を断続的に構成すれば、内容物の充填領域Ｆは、注出口Ａから放射状に広がったものとなるため、マッサージ効果の向上と共に、一回の塗布動作で広範囲に亘る塗布を実現することができる。
【００５５】
図５(a),(b)はそれぞれ、本発明に従う塗布ノズルの第三の形態を、その上方から示す平面図及び、同形態の一部を同図(a)のＯ−Ｙ断面で示す側面図である。また図６(a)〜(c)はそれぞれ、同形態を図５(a)のＯ−Ｘ断面、Ｏ−Ｙ断面及びＯ−Ｚ断面で示す要部断面図である。なお、本形態において、他の形態と同一部分は、同一符号をもってその説明を省略する。
【００５６】
本形態の塗布ノズル１２も、第二の形態と同様、注出口領域２と、この注出口領域２をその周方向に断続的に取り囲む、曲面で構成された３つの突出領域５を有し、３つの突出領域５で取り囲まれた領域と、この領域から隣り合う２つの突出領域５の相互間を通って延在する３つの放射状領域とからなる充填領域Ｆが形成される。
【００５７】
更に詳細には、突出領域４の頂部Ｐを通るＯ−Ｘ断面にあっては、図６(a)に示すように、注出口領域２の外縁と繋がる曲率半径Ｒ1で構成された第一湾曲領域５１と、この第一湾曲領域５１の外縁と繋がる曲率半径Ｒ2で構成された第二湾曲領域５２と、この第二湾曲領域５２の外縁と繋がる曲率半径Ｒ3で構成された第三の湾曲領域５３とで形作られている。なお、曲率半径Ｒ1、Ｒ2及びＲ3の関係については、適宜、変更可能であるが、本形態では、例えば、Ｒ1＝０．３mm、Ｒ2＝２mm、Ｒ3＝２mmとする。
【００５８】
また、外縁側領域５ｂは、第三の湾曲領域５３の外縁と繋がる曲率半径Ｒ3よりも小さな曲率半径Ｒ4（＜Ｒ3）で構成された第一の外縁側領域５４と、この第一の外縁側領域５４の外縁と段部５５を介して繋がる曲率半径Ｒ5で構成された第二の外縁側領域５６とで形作られている。
【００５９】
なお、曲率半径Ｒ4及びＲ5の寸法については、上述の関係を満たすものであれば適宜、変更可能であるが、本形態では、例えば、Ｒ4＝０．５mm、Ｒ5＝０．５mmとする。
【００６０】
突出領域４の中腹を通るＯ−Ｙ断面にあっては、図６(b)に示すように、注出口領域２の外縁と繋がる曲率半径Ｒ1で構成された第一湾曲領域５１と、この第一湾曲領域５１の外縁と繋がる曲率半径Ｒ6で構成された第四湾曲領域５７と、この第四湾曲領域５７の外縁と繋がる曲率半径Ｒ7で構成された第五の湾曲領域５８とで形作られている。
【００６１】
また、外縁側領域５ｂは、第五の湾曲領域５８の一部と、この第五の湾曲領域５８の外縁と繋がる曲率半径Ｒ7よりも小さな曲率半径Ｒ8（＜Ｒ7）で構成された第三の外縁側領域５９と、この第一の外縁側領域５９の外縁と段部５５を介して繋がる曲率半径Ｒ5で構成された第二の外縁側領域５６とで形作られている。
【００６２】
なお、曲率半径Ｒ6については適宜、変更することができ、また、曲率半径Ｒ7及びＲ8の寸法については、上述の関係を満たすものであれば適宜、変更可能であるが、本形態では、例えば、Ｒ6＝９．８mm、Ｒ7＝１．８mm、Ｒ8＝０．２８mm及びＲ5＝０．５mmとする。
【００６３】
突出領域５の底部を通るＯ−Ｚ断面にあっては、図６(c)に示すように、注出口領域２の外縁と繋がる曲率半径Ｒ1で構成された第一湾曲領域５１と、この第一湾曲領域５１の外縁と繋がる平坦領域６０と、この平坦領域６０の外縁と繋がる曲率半径Ｒ9で構成された第六の湾曲領域６１と、この第六の湾曲領域６１の外縁と段部６５を介して繋がる曲率半径Ｒ5で構成された第二の外縁側領域５６とで形作られている。
【００６４】
なお、曲率半径Ｒ9については適宜、変更することができるが、本形態では、例えば、Ｒ9＝０．２mmとする。
【００６５】
また、本形態として例示した注出口Ａの内径寸法φaや注出口領域２の外縁を形成する径寸法φ2についても、適宜、変更可能であるが、本形態では、例えば、φa＝１mm、φ2＝１．６mmとする。本形態として例示した上記寸法によれば、注出口領域２から第二湾曲領域５２までの寸法Ｄ1と、第二湾曲領域５２から突出領域５に形成される環状頂部Ｐまでの寸法Ｄ2とはそれぞれ、Ｄ1＝０．３mm及びＤ2＝０．３mmである。
【００６６】
また、突出領域５の外径寸法φoについても、適宜、変更可能であるが、本形態では、例えば、φo＝７mmとすれば、本形態に形成される環状頂部Ｐの径寸法φ3は、φ3＝６mmとなる。
【００６７】
上述した第１〜第３の形態のように、先端部１ｃを、ノズル軸線Ｏに対して直交するものとすれば、ノズル軸線Ｏに対して傾斜するものと比べ、充填領域Ｆの容積を小さく確保できるため、防腐性や抗菌性に優れる。
【００６８】
図７は、本発明に従う塗布ノズルの第四の形態である塗布ノズルの要部を一部断面で示す側面図である。
【００６９】
本形態の塗布ノズル１３は、第一の形態の変形例であって、同様の形態の先端部１ｃを、ノズル軸線Ｏに対して傾斜させたものである。なお、本形態において、他の形態と同一部分は、同一符号をもってその説明を省略する。
【００７０】
本形態も、第一の形態と同様、先端部１ｃは、注出口領域２と、この注出口領域２をその全周に亘って取り囲む曲面で構成された環状の突出領域６とを有し、当該突出領域６の相互間に、注出口Ａからの内容物で満たされる充填領域Ｆが形成される。
【００７１】
突出領域６も、基本的には第一の形態と同様、図７に示すように、その注出口側領域６ａが、その外縁領域側６ｂよりも曲率半径（Ｒ3＞Ｒ4）の大きな曲面で構成されている。
【００７２】
更に詳細には、注出口側領域６ａは、注出口領域２の外縁と繋がる曲率半径Ｒ1で構成された第一湾曲領域６１と、この第一湾曲領域６１の外縁と繋がる曲率半径Ｒ3で構成された第三の湾曲領域６３とで形作られている。即ち、本形態では、第一の形態に係る第二湾曲領域３２が存在しない。
【００７３】
また、外縁側領域６ｂは、第三の湾曲領域６３の外縁と繋がる曲率半径Ｒ3よりも小さな曲率半径Ｒ4（＜Ｒ3）で構成された第一の外縁側領域６４と、この第一の外縁側領域６４の外縁から垂下する第二の外縁側領域６６とで形作られている。即ち、本形態では、第一の形態に係る段部３５と、当該段部３５を介して繋がる曲率半径Ｒ5で構成された第二の外縁側領域３６とが存在しない。
【００７４】
また、本形態では、第一湾曲領域６１のうち、ノズル基部１ａに最も近い最下端領域の曲率半径Ｒ1が他の曲率半径Ｒ1よりも大きな曲率半径Ｒ11aで構成された第一湾曲領域６１ａとしてなる。更に、第一湾曲領域６１ａの外縁には、第三の湾曲領域６３を介して曲率半径Ｒ3よりも小さな曲率半径Ｒ4（＜Ｒ3）で構成された第一の外縁側領域６４が繋がる。更に、この第一の外縁側領域６４の外縁には、第一の形態と同様、段部６５を介して繋がる曲率半径Ｒ5で構成された第二の外縁側領域６６が繋がる。
【００７５】
なお、曲率半径Ｒ1、Ｒ2及びＲ3の関係については、適宜、変更可能であるが、本形態では、例えば、Ｒ1＝０．５mm、Ｒ3＝３．６２mmとする。また、曲率半径Ｒ11aは、及びＲ4の寸法についても、上述の関係を満たすものであれば適宜、変更可能であるが、本形態では、例えば、Ｒ11a＝Ｒ5＝０．５mmとする。
【００７６】
また、本形態として例示した注出口Ａの内径寸法φaや注出口領域２の外縁を形成する径寸法φ2についても、適宜、変更可能であるが、本形態では、例えば、φa＝１mm、φ2＝２mmとする。更に、突出領域６の外径寸法φoについても、適宜、変更可能であるが、本形態では、例えば、φo＝８mmとすれば、本形態に形成される環状頂部Ｐの径寸法φ4は、φ4＝４．８mmとなる。
【００７７】
図８(a),(b)はそれぞれ、本発明に従う塗布ノズルの第五の形態である塗布ノズルの要部を一部断面で示す側面図と、その注出口Ａのみ斜視した状態で上方から示す平面図である。また図９(a)〜(c)はそれぞれ、同形態を図８(a)のＯ−Ｘ断面、Ｏ−Ｙ断面及びＯ−Ｚ断面で示す要部断面図である。
【００７８】
本形態の塗布ノズル１４は、第二の形態の変形例であって、同様の形態の先端部１ｃを、ノズル軸線Ｏに対して傾斜させたものである。なお、本形態において、他の形態と同一部分は、同一符号をもってその説明を省略する。
【００７９】
本形態は、その先端部１ｃが、注出口Ａを形成する平坦な面で構成される注出口領域２と、この注出口領域２をその全周に亘って取り囲む円筒形の内壁面２ｆと、この内壁面２ｆを介して注出口領域２を、その全周に断続的に取り囲む、曲面で構成された３つの突出領域７を有し、３つの突出領域７で取り囲まれた領域（円筒形の内壁面２ｆを含む）と、この領域から隣り合う２つの突出領域７の相互間を通って延在する３つの放射状領域とからなる充填領域Ｆが形成される。
【００８０】
更に詳細には、突出領域７の頂部Ｐを通るＯ−Ｘ断面にあっては、図９(a)に示すように、注出口領域２の外縁と内壁面２ｆを介して繋がる曲率半径Ｒ11で構成された第一湾曲領域７１と、この第一湾曲領域７１の外縁と繋がる曲率半径Ｒ2で構成された第二湾曲領域７２と、この第二湾曲領域７２の外縁と繋がる曲率半径Ｒ3で構成された第三の湾曲領域７３とで形作られている。なお、曲率半径Ｒ11、Ｒ2及びＲ3の関係については、適宜、変更可能であるが、本形態では、例えば、Ｒ11＝０．３mm、Ｒ2＝１．５mm、Ｒ3＝１．６mmとする。
【００８１】
また、外縁側領域７ｂは、第三の湾曲領域７３の外縁と繋がる曲率半径Ｒ3よりも小さな曲率半径Ｒ4（＜Ｒ3）で構成された第一の外縁側領域７４と、この第一の外縁側領域７４の外縁と段部７５を介して繋がる曲率半径Ｒ5で構成された第二の外縁側領域７６とで形作られている。
【００８２】
なお、曲率半径Ｒ4及びＲ5の寸法については、上述の関係を満たすものであれば適宜、変更可能であるが、本形態では、例えば、Ｒ4＝１．５mm、Ｒ5＝０．５mmとする。
【００８３】
突出領域７の中腹を通るＯ−Ｙ断面にあっては、図９(b)に示すように、注出口領域２の外縁と繋がる曲率半径Ｒ11で構成された第一湾曲領域７１と、この第一湾曲領域７１の外縁と繋がる曲率半径Ｒ6で構成された第四湾曲領域７７と、この第四湾曲領域７７の外縁と繋がる曲率半径Ｒ7で構成された第五の湾曲領域７８とで形作られている。
【００８４】
また、外縁側領域７ｂは、第五の湾曲領域７８の一部と、この第五の湾曲領域７８の外縁と繋がる曲率半径Ｒ7よりも小さな曲率半径Ｒ8（＜Ｒ7）で構成された第三の外縁側領域７９と、この第一の外縁側領域７９の外縁と段部７５を介して繋がる曲率半径Ｒ5で構成された第二の外縁側領域７６とで形作られている。
【００８５】
なお、曲率半径Ｒ6については適宜、変更することができ、また、曲率半径Ｒ7及びＲ8の寸法については、上述の関係を満たすものであれば適宜、変更可能であるが、本形態では、例えば、Ｒ6＝５．３５mm、Ｒ7＝１．５mm及びＲ8＝１．１mmとする。
【００８６】
突出領域７の底部を通るＯ−Ｚ断面にあっては、図９(c)に示すように、注出口領域２の外縁と繋がる曲率半径Ｒ11で構成された第一湾曲領域７１と、この第一湾曲領域７１の外縁と繋がる平坦領域８０と、この平坦領域８０の外縁と繋がる曲率半径Ｒ9で構成された第六の湾曲領域８１と、この第六の湾曲領域８１の外縁と段部７５を介して繋がる曲率半径Ｒ5で構成された第二の外縁側領域７６とで形作られている。
【００８７】
なお、曲率半径Ｒ9については適宜、変更することができるが、本形態では、例えば、Ｒ9＝０．５mmとする。
【００８８】
また、他の２つの突出領域７については、第二の形態と同様、突出領域７の頂部Ｐを通るＯ−Ｘ断面に相当する部分にあっては、注出口領域２の外縁と繋がる曲率半径Ｒ1で構成された第一湾曲領域７１と、この第一湾曲領域７１の外縁と繋がる曲率半径Ｒ2で構成された第二湾曲領域７２と、この第二湾曲領域７２の外縁と繋がる曲率半径Ｒ3で構成された第三の湾曲領域７３とで形作られている。なお、曲率半径Ｒ1、Ｒ2及びＲ3の関係については、適宜、変更可能であるが、本形態では、例えば、Ｒ1＝０．５mm、Ｒ2＝１．０mm、Ｒ3＝３．６２mmとする。
【００８９】
また、外縁側領域７ｂは、第三の湾曲領域７３の外縁と繋がる曲率半径Ｒ3よりも小さな曲率半径Ｒ4（＜Ｒ3）で構成された第一の外縁側領域７４と、この第一の外縁側領域７４の外縁と段部７５を介して繋がる曲率半径Ｒ5で構成された第二の外縁側領域７６とで形作られている。
【００９０】
なお、曲率半径Ｒ4及びＲ5の寸法については、上述の関係を満たすものであれば適宜、変更可能であるが、本形態では、例えば、Ｒ4＝２．５mm、Ｒ5＝０．２mmとする。
【００９１】
突出領域７の中腹を通るＯ−Ｙ断面に相当する部分にあっては、注出口領域２の外縁と繋がる曲率半径Ｒ1で構成された第一湾曲領域７１と、この第一湾曲領域７１の外縁と繋がる曲率半径Ｒ6で構成された第四湾曲領域７７と、この第四湾曲領域７７の外縁と繋がる曲率半径Ｒ7で構成された第五の湾曲領域７８とで形作られている。
【００９２】
また、外縁側領域４ｂは、第五の湾曲領域７８の一部と、この第五の湾曲領域７８の外縁と繋がる曲率半径Ｒ7よりも小さな曲率半径Ｒ8（＜Ｒ7）で構成された第三の外縁側領域７９と、この第一の外縁側領域７９の外縁と段部７５を介して繋がる曲率半径Ｒ5で構成された第二の外縁側領域７６とで形作られている。
【００９３】
なお、曲率半径Ｒ6については適宜、変更することができ、また、曲率半径Ｒ7及びＲ8の寸法については、上述の関係を満たすものであれば適宜、変更可能である。
【００９４】
突出領域７の底部を通るＯ−Ｚ断面に相当する部分にあっては、注出口領域２の外縁と繋がる曲率半径Ｒ1で構成された第一湾曲領域７１と、この第一湾曲領域７１の外縁と繋がる平坦領域８０と、この平坦領域８０の外縁と繋がる曲率半径Ｒ9で構成された第六の湾曲領域８１と、この第六の湾曲領域８１の外縁と段部７５を介して繋がる曲率半径Ｒ5で構成された第二の外縁側領域７６とで形作られている。
【００９５】
なお、曲率半径Ｒ9については適宜、変更することができる。
【００９６】
また、本形態として例示した注出口Ａの内径寸法φaや注出口領域２の外縁（内壁面２ｆ）を形成する径寸法φ2についても、適宜、変更可能であるが、本形態では、例えば、φa＝１mm、φ2＝２mmとする。更に、突出領域７の外径寸法φoについても、適宜、変更可能である。
【００９７】
第四及び第五の形態のように、先端部１ｃを、ノズル軸線Ｏに対して傾斜するものとすれば、ノズル軸線Ｏに対して傾斜するものと比べ、充填領域Ｆの容積を小さく確保できるため、防腐性や抗菌性に優れる。
【００９８】
また、上記各形態のように、塗布ノズルを、円筒形とすれば、塗布時の感触も良好であり、また成形性も良好である。
【００９９】
また、上記各形態のように、本発明に係る塗布ノズルを適用する容器をチューブ容器Ｃとすれば、内容物を本発明に係る塗布ノズルにて塗布したり、その際に内容物を伸ばす動作が容易なため、塗布ノズルとしての効果をより顕著に発揮させることができる。
【０１００】
上述したところは、本発明の好適な形態を説明するものであるが、特許請求の範囲において、種々の変更を加えることができる。例えば、上述した形態の各構成はそれぞれ、目的及び用途に応じて適宜組み合わせることができる。
【０１０１】
例えば、本発明に係る塗布ノズルの材質としては、一般的に塗布ノズルに使用されるものであれば、問題なく使用することができ、より優れた肌への感触を重視する場合には、低密度ポリエチレンが挙げられ、また、低密度ポリエチレンを替えてエラストマ等を採用することができる。更に、塗布ノズルには、例えば、その内容物が液状のリップである場合、抗菌材を配合させることも可能である。
【０１０２】
なお、先端部を平坦な傾斜面で構成した従来の塗布ノズルを比較例として、図３として例示した本発明の第二の形態である塗布ノズルについて官能試験を行ったところ、１０名中７名から、「肌当たりが良い」や「伸ばして塗布するのに好ましい」といった評価を得ることができた。
【産業上の利用可能性】
【０１０３】
本発明である、塗布ノズルを備えるチューブ容器は、口紅や乳液等の化粧料や軟膏等の医薬品を塗布することを目的として利用することができる。
【図面の簡単な説明】
【０１０４】
【図１】(a),(b)はそれぞれ、本発明の第一の形態である、塗布ノズルを備えるチューブ容器を一部断面で示す側面図及び、当該容器を上方から示す平面図である。
【図２】同形態に係る塗布ノズルを示す図１(a)の要部拡大図である。
【図３】(a),(b)はそれぞれ、本発明に従う塗布ノズルの第二の形態を、その上方から示す平面図及び、同形態の一部を同図(a)のＯ−Ｙ断面で示す側面図である。
【図４】(a)〜(c)はそれぞれ、同形態を図３(a)のＯ−Ｘ断面、Ｏ−Ｙ断面及びＯ−Ｚ断面で示す要部断面図である。
【図５】(a),(b)はそれぞれ、本発明に従う塗布ノズルの第三の形態を、その上方から示す平面図及び、同形態の一部を同図(a)のＯ−Ｙ断面で示す側面図である。
【図６】(a)〜(c)はそれぞれ、同形態を図５(a)のＯ−Ｘ断面、Ｏ−Ｙ断面及びＯ−Ｚ断面で示す要部断面図である。
【図７】本発明に従う塗布ノズルの第四の形態である塗布ノズルの要部を一部断面で示す側面図である。
【図８】(a),(b)はそれぞれ、本発明に従う塗布ノズルの第五の形態である塗布ノズルの要部を一部断面で示す側面図と、その注出口のみ斜視した状態で上方から示す平面図である。
【図９】(a)〜(c)はそれぞれ、同形態を図８(a)のＯ−Ｘ断面、Ｏ−Ｙ断面及びＯ−Ｚ断面で示す要部断面図である。
【符号の説明】
【０１０５】
１  塗布ノズル（第一の形態）
1a  塗布ノズル基部
1b  塗布ノズル絞り部
1c  塗布ノズル先端部
２  注出口領域
３  環状の突出領域
４  突出領域
4a  注出側（突出）領域
4b  外縁（突出）領域
５  突出領域
5a  注出側（突出）領域
5b  外縁（突出）領域
６  突出領域
７  突出領域
7a  注出側（突出）領域
7b  外縁（突出）領域
Ａ  注出口
Ｐ  突出領域の頂部（頂部を結ぶ環状線）
11  塗布ノズル（第二の形態）
12  塗布ノズル（第三の形態）
13  塗布ノズル（第四の形態）
14  塗布ノズル（第五の形態）
【図１】
0005279327.tif 000002
【図２】
0005279327.tif 000003
【図３】
0005279327.tif 000004
【図４】
0005279327.tif 000005
【図５】
0005279327.tif 000006
【図６】
0005279327.tif 000007
【図７】
0005279327.tif 000008
【図８】
0005279327.tif 000009
【図９】
0005279327.tif 000010